(57)【要約】【課題】不使用時に延長管部及びホースをコンパクトに支持すると共に、前記ホースが見苦しくないようにすることができる掃除機を提供すること。【解決手段】掃除機本体２に、常態で収縮した伸縮型の蛇腹ホース１１を有するホース部３の基端側を接続し、このホース部３の先端側に伸縮自在な延長管部４の基端側を接続し、この延長管部４の先端側にノズル部５を取り付け、前記延長管部４の基端側に把持部１７を設け、前記延長管部４の正面側に掛止部２１を設けると共に、この掛止部２１を受ける掛止受部９を前記掃除機本体２に設け、前記把持部１７の先端に保持体２０を設け、この保持体２０によって前記蛇腹ホース１１を前記把持部１７の外周に沿って曲げられた状態で保持することで、前記掃除機１の不使用時に、前記蛇腹ホース１１が収縮することと相まって、前記蛇腹ホース１１が見苦しくないようにすることができる。【選択図】図１
2008142196.tif 000002
【特許請求の範囲】
【請求項１】
掃除機本体と、この掃除機本体に基端側が接続されるホースと、このホースの先端側に基端側が接続される伸縮自在な延長管部と、この延長管部の基端側に設けられる把持部と、前記延長管部の先端側に取り付けられるノズル部とを有し、前記延長管部に掛止部を設けると共に、前記掃除機本体に掛止受部を設けた掃除機において、前記ホースを伸縮型ホースとし、前記掛止部を前記延長管部の正面側に設けると共に、前記把持部の先端側に、前記把持部の外面に沿って曲げられた状態で前記伸縮型ホースを保持するための保持体を設けたことを特徴とする掃除機。
【請求項２】
前記保持体によって保持される部位における前記伸縮型ホースの軸方向が、前記伸縮型ホースの先端側の軸方向に対して交差するように、前記保持体の向きが規定されていることを特徴とする請求項１記載の掃除機。
【請求項３】
前記保持体が前記把持部に対して着脱自在であると共に、衝撃によって前記保持体が前記把持部から外れる結合強度で前記保持体と前記把持部が結合していることを特徴とする請求項１乃至２記載の掃除機。
【請求項４】
前記ホースが前記掃除機本体及び／又は前記延長管部に対して、前記ホースの軸線回りに回動可能となるように構成したことを特徴とする請求項１乃至３記載の掃除機。
【請求項５】
前記把持部の中央部と前記保持体の中央部及び前記掛止部の中央部が前記延長管部の中心軸線を通る同一の仮想平面上に位置すると共に、前記掛止部と掛止受部を係合させることで前記延長管部を前記掃除機本体に保持させた状態において、前記ホースの基端における中心部が前記仮想平面上に位置するように構成したことを特徴とする請求項４記載の掃除機。
【発明の詳細な説明】
【技術分野】
【０００１】
本発明は、掃除機に関するものであり、特に、不使用時にホースや延長管部、ノズル部を掃除機本体に対してコンパクトに保持することができる掃除機に関するものである。
【背景技術】
【０００２】
従来、この種の掃除機としては、延長管とホースと掃除機本体を接続した状態で、この掃除機本体を立て、この掃除機本体の前方に設けられた保持部（本願発明の掛止受部に該当する）に、前記延長管に設けられた保持具（本願発明の掛止部に該当する）を保持させることで、前記延長管を前記掃除機本体に保持させるものが知られている（例えば、特許文献１参照。）。また、ホースと本体（本願発明の掃除機本体に該当する）を接続した状態で、第１の延長管と第２の延長管（何れも、本願発明の延長管部に該当する）を分割し、前記第２の延長管に形成した引っかけ部（本願発明の掛止部に該当する）を前記本体の係止部（本願発明の掛止受部に該当する）に嵌合させ、前記第１の延長管に形成した第２の引っかけ部を前記第２の延長管に形成した第２の係止部に引っ掛けるものも知られている（例えば、特許文献２参照。）。更に、ワンド（本願発明の延長管部に該当する）とホースと本体（本願発明の掃除機本体に該当する）を接続した状態で、前記ワンドを縮めると共に、前記ホースを前記本体に巻き付け、保持手段によって前記ワンドを本体に保持させるものも知られている（例えば、特許文献３参照。）。
【特許文献１】特開平６−７０８６７号公報
【特許文献２】特開平７−５１２００号公報
【特許文献３】特表２００５−５３７８８０号公報
【発明の開示】
【発明が解決しようとする課題】
【０００３】
しかしながら、特許文献１のような掃除機においては、不使用時における占有空間が大きくなってしまうという問題があった。また、特許文献２のような掃除機では、不使用時における占有空間を小さくすることができるものの、前記延長管を分割しなければならない、逆に言えば、使用する際に分割された前記延長管を接続しなければならないので、使い勝手が悪く、塵埃で汚れた延長管内部が露出してしまうと共に、分割された前記延長管を保持するための要素が前記延長管の数だけ必要となるので、突起状の部分が増えてしまい、デザイン上好ましくないばかりでなく、この突起状の部分によって怪我をする可能性が増えてしまう虞があった。また、前記ホースが特に支持されていないので、外観上好ましくなかった。前記ホースを前記本体に巻き付けることで、占有空間を更に小さくすることができるものの、この場合も、デザイン上好ましくないばかりでなく、前記本体に巻き付けられたホースが容易に外れてしまう虞があった。更に、特許文献３のような掃除機では、不使用時における占有空間を最も小さくすることができるという長所があるものの、前記ホースを前記本体に巻き付けるため、デザイン上好ましくないという問題があった。
【０００４】
これらの問題を解決するため、本出願人は、特願２００６−１２７９５６号において、延長管部の正面側に掛止部を設け、掃除機本体に掛止受部を設け、前記延長管部の基端側に設けた把持部にホースを受ける溝部を形成すると共に、前記ホースを伸縮型ホースとすることで、不使用時に前記溝部で前記伸縮型ホースを受けて、このホースが見苦しくないようにすることができる掃除機を提案した。しかしながら、前記把持部に前記溝部を深く形成することができなかったり、前記伸縮型ホースが伸縮した状態で前記溝部に密着できなかったりした場合、前記伸縮型ホースが容易に前記溝部から外れてしまい、ホースが見苦しい状態になってしまうという問題があった。
【０００５】
本発明は以上の問題点を解決し、不使用時に延長管部及びホースをコンパクトに支持すると共に、前記ホースが見苦しくないようにすることができる掃除機を提供することを目的とする。
【課題を解決するための手段】
【０００６】
本発明の請求項１に記載の掃除機は、掃除機本体と、この掃除機本体に基端側が接続されるホースと、このホースの先端側に基端側が接続される伸縮自在な延長管部と、この延長管部の基端側に設けられる把持部と、前記延長管部の先端側に取り付けられるノズル部とを有し、前記延長管部に掛止部を設けると共に、前記掃除機本体に掛止受部を設けた掃除機において、前記ホースを伸縮型ホースとし、前記掛止部を前記延長管部の正面側に設けると共に、前記把持部の先端側に、前記把持部の外面に沿って曲げられた状態で前記伸縮型ホースを保持するための保持体を設けたものである。
【０００７】
また、本発明の請求項２に記載の掃除機は、請求項１において、前記保持体によって保持される部位における前記伸縮型ホースの軸方向が、前記伸縮型ホースの先端側の軸方向に対して交差するように、前記保持体の向きが規定されているものである。
【０００８】
また、本発明の請求項３に記載の掃除機は、請求項１乃至２において、前記保持体が前記把持部に対して着脱自在であると共に、衝撃によって前記保持体が前記把持部から外れる結合強度で前記保持体と前記把持部が結合しているものである。
【０００９】
また、本発明の請求項４に記載の掃除機は、請求項１乃至３において、前記ホースが前記掃除機本体及び／又は前記延長管部に対して、前記ホースの軸線回りに回動可能となるように構成したものである。
【００１０】
更に、本発明の請求項５に記載の掃除機は、請求項４において、前記把持部の中央部と前記保持体の中央部及び前記掛止部の中央部が前記延長管部の中心軸線を通る同一の仮想平面上に位置すると共に、前記掛止部と掛止受部を係合させることで前記延長管部を前記掃除機本体に保持させた状態において、前記ホースの基端側における中心軸線が前記仮想平面上に位置するように構成したものである。
【発明の効果】
【００１１】
本発明の請求項１に記載の掃除機は、以上のように構成することにより、前記掃除機の不使用時に、掃除機本体を立て、前記延長管部を縮めた状態で前記掃除機本体に設けた掛止受部に前記延長管部に設けた掛止部を係合させることで、前記延長管部が前記掃除機本体に支持される。この際、収縮した前記ホースが前記把持部の外面に沿って曲げられた状態で前記保持体によって保持されるので、掃除機の不使用時にこのホースが見苦しくないようにすることができる。
【００１２】
また、前記保持体によって保持される部位における前記伸縮型ホースの軸方向が、前記伸縮型ホースの先端側の軸方向に対して交差することで、前記ホースにおける前記把持部の外周に沿って曲げられた部位が前記保持体によって保持されることになるので、前記ホースを前記把持部の外面に確実に沿わせることができ、これによって、掃除機の不使用時に前記ホースが見苦しくないようにすることができる。
【００１３】
また、前記把持部から突出している前記保持体が床や壁等に衝突した際の衝撃によって前記把持部から外れることで、床や壁等が傷付きにくいようにすることができる。
【００１４】
また、前記ホースが前記掃除機本体及び／又は前記延長管部に対して、前記ホースの軸線回りに回動することで、前記ホースの捻れを解消し、これによって、掃除機の不使用時に前記ホースを前記把持部の外周に確実に沿わせることができる。
【００１５】
更に、前記掛止部と掛止受部を係合させることで前記延長管部を前記掃除機本体に保持させた状態において、前記把持部の中央部と前記保持体の中央部と前記掛止部の中央部と前記ホースの基端側における中心軸線が、前記延長管部の中心軸線を通る同一の仮想平面上に位置するように構成されていることで、前記掃除機の不使用時にこの掃除機を整然とした状態で片付けることができるばかりでなく、前記掃除機の不使用時に前記ホースを前記把持部の外周に確実に沿わせることができる。
【発明を実施するための最良の形態】
【００１６】
以下、本発明の実施形態について、図１乃至図５に基づいて説明する。なお、本実施形態において、図１乃至図３に記載されているＸ軸方向を左右、Ｙ軸方向を上下、Ｚ軸方向を前後と定義する。
【００１７】
１は本発明の掃除機である。この掃除機１は、掃除機本体２と、この掃除機本体２に対して基端側が着脱自在に取り付けられるホース部３と、このホース部３の先端側が基端側に取り付けられる延長管部４と、この延長管部４の先端画に着脱自在に取り付けられるノズル部５とを有して構成されている。なお、前記掃除機本体２は、図１及び図２において、掃除機本体２の正面が上面、掃除機本体２の背面が底面、掃除機本体２の上面が正面、掃除機本体２の底面が背面となる姿勢で立て置かれている。（即ち、図１において、右側が正面となる。）また、前記延長管部４は、図１において右側、図３において正面となっている側を正面とする。
【００１８】
前記掃除機本体２は、運搬用の把持部６、前輪７及び後輪８を有している。また、前記掃除機本体２の下前（図１における左上）側には、後述する掛止部２１を受けるための掛止受部９が形成されている。なお、前記掛止受部９は、前記掃除機本体２の正面（図１及び図２における上面）の左右（Ｘ軸）方向中央に形成されている。
【００１９】
また、前記ホース部３は、基端側接続部１０と、伸縮型の蛇腹ホース１１と、先端側接続部１２とを有して構成されている。なお、前記基端側接続部１０は、前記掃除機本体２の正面（図１及び図２における上面）の左右（Ｘ軸）方向中央に形成された図示しない差込口に差し込んで固定されるように構成されている。また、前記先端側接続部１２は、前記延長管部４の基端側の後述する接続受部１６に、前記延長管部４に対して回動自在に接続されている。更に、前記蛇腹ホース１１は、被覆１１Ａと螺旋状の図示しない芯線とを有して構成されており、この芯線がバネ性を有することで、前記蛇腹ホース１１は常態において収縮しており、使用者によって引っ張られることで伸びるように構成されている。
【００２０】
また、前記延長管部４は、第一管部１３と、この第一管部１３の内側に挿入される第二管部１４と、この第二管部１４の内側に挿入される第三管部１５とを有してテレスコピック状に構成されている。そして、前記第一管部１３の基端側には、前記ホース部３の先端側接続部１２を回動自在に受けるための接続受部１６が形成されている。また、前記第一管部１３の基端側の正面側には、把持部１７が設けられている。そして、この把持部１７の基端（図３における前記把持部１７の下）側には、前記掃除機本体２を作動させたり停止させたりするための操作部１８が設けられていると共に、前記把持部１７の先端（図３における前記把持部１７の上）側、即ち実際に使用者が把持する部分には、溝部１９が形成されている。なお、この溝部１９は、前記把持部１７の外面の長さ方向に沿って形成されており、前記延長管部４を直立させた状態における正面視（図３の状態）において、左右（Ｘ軸）方向に殆どずれず、前後（Ｚ軸）方向及び上下（Ｙ軸）方向にほぼ真っ直ぐ形成されている。（なお、ここで言う「前後（Ｚ軸）方向及び上下（Ｙ軸）方向に真っ直ぐ」とは、前後（Ｚ軸）方向及び上下（Ｙ軸）方向に直線的に延びているという意味ではなく、前記延長管部４を直立させた状態における正面視（図３の状態）では上下（Ｙ軸）方向に真っ直ぐ延びているように見え、また、平面視では前後（Ｚ軸）方向に真っ直ぐ延びているように見える状態を指している。即ち、これは、前記溝部１９が三次元空間におけるＹ−Ｚ（高さ−奥行き）平面と平行となっており、Ｘ軸（左右）方向にずれないという状態を指している。）更に、前記把持部１７の先端（各図における前記把持部１７の上端）には、保持体２０が前記把持部１７に対して着脱自在に設けられている。なお、前記保持体２０は、前記蛇腹ホース１１の外面を挟んで保持することができるように構成されている。また、前記保持体２０は、この保持体２０によって保持される前記蛇腹ホース１１の部位の中心軸線Ａ１（即ち、前記保持体２０の中心軸線）が、前記蛇腹ホース１１の先端側の中心軸線Ａ２に対して交差（本実施形態ではほぼ直交）するように方向付けられている。なお、本実施形態においては、前記中心軸線Ａ２は、前記延長管部４の中心軸線Ａ３とほぼ一致する。また、前記保持体２０は、衝撃によって前記把持部１７から外れ、且つ前記蛇腹ホース１１を前記保持体２０から外す際に前記保持体２０が前記把持部１７から外れない程度の結合強度で、前記把持部１７と結合している。
【００２１】
前記保持体２０について詳述する。この保持体２０は、図５に示すように、上方が開口した略Ｃ字状の保持部２０Ａと、この保持部２０Ａと一体に且つ互いにほぼ平行に形成された一対の係合腕部２０Ｂと、これらの係合腕部２０Ｂの先端に形成された係合爪部２０Ｃとで構成されている。そして、前記保持体２０は、前記係合腕部２０Ｂを前記保持部１７に形成された係合孔１７Ａに挿入し、前記係合爪部２０Ｃを前記係合孔１７Ａの下縁に係合させることで、前記保持部１７に取り付けられている。なお、前記保持部２０Ａは、外力によって弾性変形し、上端２０Ｄの間隔が開くように形成されている。また、前記係合腕部２０Ｂの引き抜き方向に対する前記係合爪部２０Ｃの基端側の形成角度θは９０度未満に設定されている。これによって、前記保持部２０の係合爪部２０Ｃは、前記把持部１７の係合孔１７Ａに対して比較的抜けやすい状態（即ち、衝撃によって比較的外れやすい状態）で係合している。
【００２２】
また、前記第一管部１３の先端側の正面（図１における右）側には、端部が前記第一管部１３における先端（図１及び図３における下）側を向いた鉤状の掛止部２１が形成されており、この掛止部２１が前記掛止受部９に係合するように構成されている。なお、前記掛止部２１の中央部は、前記把持部１７の中央部及び前記保持体２０の中央部と共に、前記延長管部４の中心軸線Ａ３を通る同一の仮想平面Ｆ（本実施形態ではＹ−Ｚ平面）上に位置する。また、前記第一管部１３の先端側の正面（図１における右）側には押し釦２２が設けられており、この押し釦２２を押した状態で前記第二管部１４を前記第一管部１３に対して軸方向に摺動させることができると共に、前記押し釦２２を離すことで前記第一管部１３と第二管部１４との位置関係を固定させることができる。また、前記第二管部１４の先端側の正面（図１における右）側にも押し釦２３が設けられており、この押し釦２３を押した状態で前記第三管部１５を前記第二管部１４に対して軸方向に摺動させることができると共に、前記押し釦２３を離すことで前記第二管部１４と第三管部１５との位置関係を固定させることができる。即ち、前記押し釦２２を押すことで、前記第一管部１３に対して前記第二管部１４を摺動させ、前記押し釦２３を押すことで、前記第二管部１４に対して前記第三管部１５を摺動させ、これによって、前記延長管部４の長さを適宜調節することができる。更に、前記第三管部１５の先端側の正面（図１における右）側にも押し釦２４が設けられており、この押し釦２４を押した状態で前記ノズル部５が挿脱自在となり、前記押し釦２４を離すことで、前記第三管部１５の先端側に前記ノズル部５を固定させることができる。
【００２３】
次に、本実施形態の作用について説明する。前記掃除機１を使用する場合、まず使用者は、前記把持部６を把持して前記掃除機１を清掃する場所まで運搬する。そして、前記延長管部４を把持し、前記掛止部２１を前記掛止受部９から取り外すことで、前記延長管部４を前記掃除機本体２から取り外し、前記保持体２０によって保持されている前記蛇腹ホース１１を前記保持体２０の保持部２０ａから外し、更に、前記ホース部３に対して前記延長管部４を軸回りに回動させる。この時、前述したように、前記ホース部３の先端側接続部１２が、前記延長管部４の第一管部１３の接続受部１６によって回動自在に受けられているので、前記先端側接続部１２に対して前記接続受部１６が回動することで、前記ホース部３に対して前記延長管部４が軸回りに回動する。そして、必要に応じ、前記押し釦２２を操作して前記第一管部１３から前記第二管部１４を軸方向に引き出し、また、前記押し釦２３を操作して前記第二管部１４から第三管部１５を軸方向に引き出すことで、前記延長管部４を適宜長さに調節する。そして、前記掃除機本体２を、図１及び図２に示される状態から倒し、前記前輪７及び後輪８を床等に接地させる。更に、図示しない電源コードを前記掃除機本体２から引き出し、交流電源に接続する。このようにして、前記掃除機１が使用可能な状態となる。
【００２４】
この状態で、使用者が前記把持部１７を把持し、前記操作部１８を操作すると共に、前記ノズル部５を床に沿って移動させることで、前記掃除機本体２内の図示しない電動送風機が作動し、前記ノズル部５の図示しない開口部から塵埃を含む気流が吸引され、この気流が前記延長管部４、ホース部３を経て前記掃除機本体２内に至り、この掃除機本体２内で気流から塵埃が分離され、塵埃が除かれた空気が前記掃除機本体２の図示しない排気口から排出される。なお、前述したように、前記ホース部３の蛇腹ホース１１が常態において収縮した伸縮型であるため、使用者が前記把持部１７を把持して前記延長管部４を動かすことで、前記蛇腹ホース１１が引っ張られて適宜長さに伸びる。また、前記把持部１７を把持してあらゆる方向に動かすことで、前記ホース部３が捻れることが起こり得るが、前述したように、前記ホース部３の先端側接続部１２に対して、前記延長管部４の第一管部１３の接続受部１６が回動自在であるので、前記先端側接続部１２が前記接続受部１６に対して回動することで、前記ホース３に生じた捻れが解消される。
【００２５】
なお、前記把持部１７の先端（各図における前記把持部１７の上端）には前記保持体２０の保持部２０Ａが突出して設けられているため、この保持部２０Ａを床や壁等に衝突させてしまう虞があるが、仮に前記保持部２０Ａを床や壁等に衝突させたとしても、前述したように、前記保持体２０の係合爪部２０Ｃが前記把持部１７の係合孔１７Ａの下縁から比較的外れやすく形成されていることで、衝突の衝撃によって前記保持体２０が前記把持部１７から外れるので、床や壁等に傷を付けてしまう虞を減ずることができる。一方、前記保持体２０は、前記蛇腹ホース１１を前記保持体２０から外す際に前記把持部１７から外れない程度に、前記保持部１７と固く結合しているので、通常の使用において簡単に前記保持体２０が前記把持部１７から外れないようにして、前記保持体２０を紛失する虞を減ずることができる。
【００２６】
次に、前記掃除機１を片付ける場合、まず使用者は、図示しない電源コードを交流電源から外し、前記掃除機本体２に収容する。そして、前記掃除機本体２を、前記前輪７及び後輪８が床等に接地した状態から起こし、図１及び図２に示されように、前記掃除機本体２の正面が上面、前記掃除機本体２の背面が底面となる姿勢に立て置く。なお、この状態において、前記掛止受部９の開口は上方を向くことになる。そして、前記第一管部１３から前記第二管部１４が引き出されていた場合、前記押し釦２２を操作して前記第一管部１３の軸方向に前記第二管部１４を押し込み、また、前記第二管部１４から第三管部１５が引き出されていた場合、前記押し釦２３を操作して前記第二管部１４の軸方向に前記第三管部１５を押し込むことで、前記延長管部４を最短状態とする。更に、前記延長管部４の第一管部１３に設けられた前記掛止部２１を前記掛止受部９に係合させることで、前記掃除機本体２に前記延長管部４及びこの延長管部４に接続された前記ノズル部５が保持される。なお、前述したように、前記掛止受部９が前記掃除機本体２の下前（図１における左上）側に設けられていると共に、前記掛止部２１が前記第一管部１３の正面側に設けられているので、前記延長管部４が前記掃除機本体２に保持された状態において、前記掃除機本体２の下面（図１における左）側と前記延長管部４の正面（図１における右）側が向かい合うことになる。また、前記把持部１７も前記第一管部１３の正面側に設けられているので、前記延長管部４が前記掃除機本体２に保持された状態では、図１に示すように、前記把持部１７が前記掃除機本体２側を向くことになる。また、前述したように、前記延長管部４の中心軸線Ａ３を通る同一の仮想平面Ｆ（Ｙ−Ｚ平面）上に前記掛止部２１の中央部と前記把持部１７の中央部が位置すると共に、前記掃除機本体２の正面（図１及び図２における上面）の左右（Ｘ軸）方向中央に前記掛止受部９が形成されていることで、前記延長管部４は、正面視で前記掃除機本体２のほぼ中央に位置するように保持されることになる。更に、前述したように、端部が前記第一管部１３における先端（図１における下）側を向く鉤状に前記掛止部２１が形成されているので、図１の姿勢において開口が上方を向いた前記掛止受部９に前記掛止部２１を係合させることで、図１に示すように、前記延長管部４の先端側が下方、基端側が上方となるように、即ち、前記把持部１７側が上方、前記ノズル部５側が下方となるように、前記延長管部４が前記掃除機本体２に保持されることになる。なお、前述したように、前記延長管部４が最短状態となっていることで、この延長管部４を保持した状態の前記掃除機１全体の高さを低く抑えることができる。
【００２７】
なお、このように前記延長管部４の正面側が前記掃除機本体２の下面側と向き合って保持された状態では、使用時の初期状態に対して前記延長管部４が前記ホース部３の軸回りにほぼ１８０度捻れることになるが、前述したように、前記ホース部３の先端側接続部１２に対して、前記延長管部４の第一管部１３の接続受部１６が回動自在であるので、前記先端側接続部１２を前記接続受部１６に対して軸回りに回動させることで、前記ホース部３の蛇腹ホース１１に生じた捻れが解消される。そして、捻れが解消された前記蛇腹ホース１１のうち、前記把持部１７近傍の部位を、前記把持部１７の先端（各図における前記把持部１７の上端）に形成された前記保持体２０の略Ｃ字状の保持部２０Ａに挿入して前記保持部２０Ａに保持させると共に、前記保持体２０の近傍において、前記溝部１９に掛けることで、前記蛇腹ホース１１が前記把持部１７の外周に沿って曲げられた状態で保持される。なお、前記蛇腹ホース１１は、略Ｃ字状の前記保持部２０Ａに挿入される際に、幅が狭くなるように弾性変形すると共に、前記保持部２０Ａも、前記蛇腹ホース１１が挿入される際に、前記上端２０Ｄの間隔が拡がるように弾性変形する。そして、前記延長管部４が最短状態であることで、前記把持部１７の上端が低くなり、これによって、前記基端側接続部１０から前記把持部１７の上端を経て前記先端側接続部１２に至る、前記蛇腹ホース１１を保持するための経路が短くなってしまっているが、前述したように、前記蛇腹ホース１１の先端側の中心軸線Ａ２に対して、前記保持体２０によって保持される部位における前記蛇腹ホース１１の中心軸線Ａ１が交差するように、前記蛇腹ホース１１の前記把持部１７に沿って曲がる部分を前記保持体２０によって保持すると共に前記溝部１９に掛けた状態で収縮することで、前記蛇腹ホース１１が前記把持部１７に沿って曲げられた遊びのない整然とした状態で前記保持体２０によって確実に保持されるので、前記蛇腹ホース１１が常態において収縮した伸縮型であることと相まって、前記掃除機１の不使用時に前記蛇腹ホース１１が見苦しくないようにすることができるばかりでなく、多少の外力では前記蛇腹ホース１１が前記保持体２０及び溝部１９から外れないようにすることができる。
【００２８】
また、前述したように、前記掃除機本体２の図示しない差込口及び前記掛止受部９が前記掃除機本体２の左右（Ｘ軸）方向中央に形成されていると共に、前記延長管部４の中心軸線Ａ３を通る同一の仮想平面Ｆ（Ｙ−Ｚ平面）上に前記掛止部２１の中央部と前記把持部１７の中央部と前記保持体２０の中央部が位置することで、前記掃除機本体２及びこれに保持される前記延長管部４の左右（Ｘ軸）方向中央がほぼ一致することになり、これによって、前記差込口に差し込んで固定される前記基端側接続部１０の中心部（即ち、前記蛇腹ホース１１の基端の中心部）と、前記延長管部４の接続受部１６に接続される前記先端側接続部１２（即ち、前記蛇腹ホース１１の先端の中心部）と、前記把持部１７及び保持体２０の中央部が、前記掃除機本体２及び前記延長管部４の中央を通る前記仮想平面Ｆ（Ｙ−Ｚ平面）上にほぼ重なることになる。これによって、前記蛇腹ホース１１の先端側と基端側と前記保持体２０に保持される部分が左右（Ｘ軸）方向に殆どずれず、前記蛇腹ホース１１が前後（Ｚ軸）方向及び上下（Ｙ軸）方向に対してほぼ真っ直ぐな状態となるので、前記蛇腹ホース１１が整然とし、前記蛇腹ホース１１がより見苦しくないようにすることができる。なお、「前後（Ｚ軸）方向及び上下（Ｙ軸）方向に真っ直ぐ」の定義は、前述した通りである。
【００２９】
以上のように本発明は、掃除機本体２に、常態で収縮した伸縮型の蛇腹ホース１１を有するホース部３の基端側を接続し、このホース部３の先端側に伸縮自在な延長管部４の基端側を接続し、この延長管部４の先端側にノズル部５を取り付け、前記延長管部４の基端側に把持部１７を設け、前記延長管部４の正面側に掛止部２１を設けると共に、この掛止部２１を受ける掛止受部９を前記掃除機本体２に設け、前記把持部１７の先端に保持体２０を設け、この保持体２０によって前記蛇腹ホース１１を前記把持部１７の外周に沿わせた状態で保持することで、前記掃除機１の不使用時に、立てた前記掃除機本体２の掛止受部９に縮めた前記延長管部４の掛止部２１を係合させて、前記延長管部４を前記掃除機本体２に支持させた際、前記蛇腹ホース１１が前記保持体２０によって前記把持部１７に沿った状態で保持されることで、前記蛇腹ホース１１が収縮することと相まって、前記蛇腹ホース１１が見苦しくないようにすることができるものである。また、本発明は、前記蛇腹ホース１１における前記把持部１７の外周に沿って曲げられた部位が前記保持体２０によって保持されることになるので、前記蛇腹ホース１１を前記把持部１７の外面に確実に沿わせることができ、これによって、前記掃除機１の不使用時に前記蛇腹ホース１１が見苦しくないようにすることができるものである。また、本発明は、衝撃によって前記保持体２０が前記把持部１７から外れる結合強度で前記保持体２０と前記把持部１７が着脱自在に結合していることで、前記把持部１７から突出している前記保持体２０が床や壁等に衝突しても、その際の衝撃によって前記保持体２０が前記把持部１７から外れることで、床や壁等が傷付きにくいようにすることができるものである。また本発明は、前記ホース部３が前記延長管部４に対して、前記ホース部３の軸線回りに回動可能となるように構成したことで、前記掃除機１の不使用時において、前記ホース部３の蛇腹ホース１１の前記延長管部４に対する軸方向の捻れを解消し、これによって、前記蛇腹ホース１１を前記把持部１７の外周に確実に沿わせることができるものである。更に本発明は、前記把持部１７の中央部と前記保持体２０の中央部及び前記掛止部２１の中央部が前記延長管部４の中心軸線Ａ３を通る同一の仮想平面Ｆ上に位置すると共に、前記掛止部２１と掛止受部９を係合させることで前記延長管部４を前記掃除機本体２に保持させた状態において、前記ホース１１の基端の中心部が前記仮想平面Ｆ上に位置するように構成したことで、前記蛇腹ホース１１の基端側と先端側及び前記保持体２０によって保持される部位が左右にずれないので、前記蛇腹ホース１１が前記掃除機本体２及び延長管部４に対して整然とした状態で片付けることができるものである。
【００３０】
なお、本発明は以上の実施形態に限定されるものではなく、発明の要旨の範囲内で種々の変形実施が可能である。例えば、上記実施形態では、前記ホース部の先端側が前記延長管に対して回動可能に形成されているが、前記ホース部の基端側が前記掃除機本体に対して回動可能に形成されるようにしても良い。
【図面の簡単な説明】
【００３１】
【図１】本発明の一実施形態を示す掃除機の側面図である。
【図２】本発明の一実施形態を示す掃除機の正面図である。
【図３】本発明の一実施形態を示す掃除機の把持部、延長管部及びノズル部の正面図である。
【図４】本発明の一実施形態を示す掃除機の要部を拡大した側面図である。
【図５】本発明の一実施形態を示す掃除機の要部を更に拡大したＢ−Ｂ断面図である。
【符号の説明】
【００３２】
１  掃除機
２  掃除機本体
３  ホース部
４  延長管部
５  ノズル部
６  把持部
９  掛止受部
１０  基端側接続部
１１  伸縮型の蛇腹ホース
１２  先端側接続部
１６  接続受部
１７  把持部
２０  保持体
２１  掛止部
Ａ１  蛇腹ホースの保持体によって保持される部位の中心軸線
Ａ２  蛇腹ホースの先端側の中心軸線
Ａ３  延長管部の中心軸線
Ｆ  中心軸線Ａ３を通る仮想平面
【図１】
2008142196.tif 000003
【図２】
2008142196.tif 000004
【図３】
2008142196.tif 000005
【図４】
2008142196.tif 000006
【図５】
2008142196.tif 000007
【手続補正書】
【提出日】平成19年6月22日(2007.6.22)
【手続補正１】
【補正対象書類名】明細書
【補正対象項目名】００１７
【補正方法】変更
【補正の内容】
【００１７】
１は本発明の掃除機である。この掃除機１は、掃除機本体２と、この掃除機本体２に対して基端側が着脱自在に取り付けられるホース部３と、このホース部３の先端側が基端側に取り付けられる延長管部４と、この延長管部４の先端側に着脱自在に取り付けられるノズル部５とを有して構成されている。なお、前記掃除機本体２は、図１及び図２において、掃除機本体２の正面が上面、掃除機本体２の背面が底面、掃除機本体２の上面が正面、掃除機本体２の底面が背面となる姿勢で立て置かれている。（即ち、図１において、右側が正面となる。）また、前記延長管部４は、図１において右側、図３において正面となっている側を正面とする。
【手続補正２】
【補正対象書類名】明細書
【補正対象項目名】００２９
【補正方法】変更
【補正の内容】
【００２９】
以上のように本発明は、掃除機本体２に、常態で収縮した伸縮型の蛇腹ホース１１を有するホース部３の基端側を接続し、このホース部３の先端側に伸縮自在な延長管部４の基端側を接続し、この延長管部４の先端側にノズル部５を取り付け、前記延長管部４の基端側に把持部１７を設け、前記延長管部４の正面側に掛止部２１を設けると共に、この掛止部２１を受ける掛止受部９を前記掃除機本体２に設け、前記把持部１７の先端に保持体２０を設け、この保持体２０によって前記蛇腹ホース１１を前記把持部１７の外周に沿わせた状態で保持することで、前記掃除機１の不使用時に、立てた前記掃除機本体２の掛止受部９に縮めた前記延長管部４の掛止部２１を係合させて、前記延長管部４を前記掃除機本体２に支持させた際、前記蛇腹ホース１１が前記保持体２０によって前記把持部１７に沿った状態で保持されることで、前記蛇腹ホース１１が収縮することと相まって、前記蛇腹ホース１１が見苦しくないようにすることができるものである。また、本発明は、前記蛇腹ホース１１における前記把持部１７の外周に沿って曲げられた部位が前記保持体２０によって保持されることになるので、前記蛇腹ホース１１を前記把持部１７の外面に確実に沿わせることができ、これによって、前記掃除機１の不使用時に前記蛇腹ホース１１が見苦しくないようにすることができるものである。また、本発明は、衝撃によって前記保持体２０が前記把持部１７から外れる結合強度で前記保持体２０と前記把持部１７が着脱自在に結合しているので、前記把持部１７から突出している前記保持体２０が床や壁等に衝突しても、その際の衝撃によって前記保持体２０が前記把持部１７から外れることで、床や壁等が傷付きにくいようにすることができるものである。また本発明は、前記ホース部３が前記延長管部４に対して、前記ホース部３の軸線回りに回動可能となるように構成したことで、前記掃除機１の不使用時において、前記ホース部３の蛇腹ホース１１の前記延長管部４に対する軸方向の捻れを解消し、これによって、前記蛇腹ホース１１を前記把持部１７の外周に確実に沿わせることができるものである。更に本発明は、前記把持部１７の中央部と前記保持体２０の中央部及び前記掛止部２１の中央部が前記延長管部４の中心軸線Ａ３を通る同一の仮想平面Ｆ上に位置すると共に、前記掛止部２１と掛止受部９を係合させることで前記延長管部４を前記掃除機本体２に保持させた状態において、前記ホース１１の基端の中心部が前記仮想平面Ｆ上に位置するように構成したことで、前記蛇腹ホース１１の基端側と先端側及び前記保持体２０によって保持される部位が左右にずれないので、前記蛇腹ホース１１が前記掃除機本体２及び延長管部４に対して整然とした状態で片付けることができるものである。